(57)【要約】【課題】  この発明は、電源が遮断される直前にプリ記録された映像を残すことができるようになる情報記録装置を提供することを目的とする。【解決手段】  情報記録装置において、プリ記録処理モード時においては、予め定められた所定画像数を記録できる領域範囲内で、不揮発性メモリに入力画像を循環的に記録させるプリ記録処理手段、ポスト記録処理モード時においては、上記不揮発性メモリの直前のプリ記録処理モードにおいてプリ記録処理に使用されていた領域の後に、入力画像を順番に記録させるポスト記録処理手段、およびプリ記録処理が行われいる途中に電源が遮断された後に電源が復帰したときには、上記電源遮断時のプリ記録処理において使用されていた領域の後からポスト記録処理を開始させるための電源復帰処理手段を備えている。【選択図】  図１
2005210379.tif 000002
【特許請求の範囲】
【請求項１】
記録処理モードとして、プリ記録処理モードとポスト記録処理モードとがあり、常時は記録処理モードとしてプリ記録処理モードが設定され、ポスト記録指示入力に基づいて記録処理モードが所要時間の間、ポスト記録処理モードに設定される情報記録装置において、
プリ記録処理モード時においては、予め定められた所定画像数を記録できる領域範囲内で、不揮発性メモリに入力画像を循環的に記録させるプリ記録処理手段、
ポスト記録処理モード時においては、上記不揮発性メモリの直前のプリ記録処理モードにおいてプリ記録処理に使用されていた領域の後に、入力画像を順番に記録させるポスト記録処理手段、および
プリ記録処理が行われている途中に電源が遮断された後に電源が復帰したときには、上記電源遮断時のプリ記録処理において使用されていた領域の後からポスト記録処理を開始させるための電源復帰処理手段、
を備えていることを特徴とする情報記録装置。
【請求項２】
上記不揮発性メモリには、画像毎に、当該画像の時系列な順番を示す記録番号と、当該画像がプリ記録処理モードに入力された画像であるかポスト記録処理モード時に入力された画像であるかを識別する第１の制御データと、当該画像がプリ記録処理モード時においてプリ記録処理に使用される領域において２周目以降に記録される画像である場合には、当該プリ記録処理に使用される領域の次の領域を示すための第２の制御データとが付加データとして記録されており、
電源復帰処理手段は、
不揮発性メモリの先頭から画像情報および付加情報を読み出す第１手段、
読み出すべき画像情報が存在するかしないかを判別する第２手段、
読み出すべき画像情報が存在しない場合には、その位置からポスト記録処理を開始させる第３手段、
読み出すべき画像情報が存在している場合には、前回読み出した画像に対応する記録番号と今回読み出した画像に対応する記録番号に基づいて、今回読み出した画像が前回読み出した画像より過去に記録されたものか否かを判別する第４手段、
今回読み出した画像が前回読み出した画像より過去に記録されたものでない場合には、次の画像を読み出して、第２手段以降の処理を行わせる第５手段、
今回読み出した画像が前回読み出した画像より過去に記録されたものである場合には、前回読み出した画像に対応する第１の制御データに基づいて、前回読み出した画像がプリ記録処理モード時に入力された画像であるか否かを判別する第６手段、
前回読み出した画像がプリ記録処理モード時に入力された画像でない場合には、今回の読み出し位置からポスト記録処理を開始させる第７手段、および
前回読み出した画像がプリ記録処理モード時に入力された画像である場合には、前回読み出した画像に対応する第２の制御データに基づいて、前回読み出した画像を含むプリ記録処理に使用された領域の次の領域から画像を読み出して、第２手段以降の処理を行わせる第８手段、
を備えている請求項１に記載の情報記録装置。
【発明の詳細な説明】
【技術分野】
【０００１】
この発明は、監視用などに用いられる情報記録装置に関する。
【背景技術】
【０００２】
監視用情報記録装置では、常時は監視カメラによって撮像される映像を揮発性メモリに循環的に記録（プリ記録）し、たとえば所定領域内の不審者を検出するための検出器によって不審者が検出されると、揮発性メモリにプリ記録されている映像を揮発性メモリに記録するとともに、監視カメラによって撮像される映像を、一定期間の間、揮発性メモリに記録（ポスト記録）している。
【０００３】
ところで、プリ記録が行われている状況で、不審者が監視用情報記録装置への供給電源を遮断し、何らかの行動を行った後に逃走した場合には、揮発性メモリ内のプリ記録の情報が消去されるので、電源遮断前にプリ記録された映像を残すことができない。
【発明の開示】
【発明が解決しようとする課題】
【０００４】
この発明は、電源が遮断される直前にプリ記録された映像を残すことができるようになる情報記録装置を提供することを目的とする。
【課題を解決するための手段】
【０００５】
請求項１に記載の発明は、記録処理モードとして、プリ記録処理モードとポスト記録処理モードとがあり、常時は記録処理モードとしてプリ記録処理モードが設定され、ポスト記録指示入力に基づいて記録処理モードが所要時間の間、ポスト記録処理モードに設定される情報記録装置において、プリ記録処理モード時においては、予め定められた所定画像数を記録できる領域範囲内で、不揮発性メモリに入力画像を循環的に記録させるプリ記録処理手段、ポスト記録処理モード時においては、上記不揮発性メモリの直前のプリ記録処理モードにおいてプリ記録処理に使用されていた領域の後に、入力画像を順番に記録させるポスト記録処理手段、およびプリ記録処理が行われている途中に電源が遮断された後に電源が復帰したときには、上記電源遮断時のプリ記録処理において使用されていた領域の後からポスト記録処理を開始させるための電源復帰処理手段を備えていることを特徴とする。
【０００６】
請求項２に記載の発明は、請求項１に記載の発明において、上記不揮発性メモリには、画像毎に、当該画像の時系列な順番を示す記録番号と、当該画像がプリ記録処理モードに入力された画像であるかポスト記録処理モード時に入力された画像であるかを識別する第１の制御データと、当該画像がプリ記録処理モード時においてプリ記録処理に使用される領域において２周目以降に記録される画像である場合には、当該プリ記録処理に使用される領域の次の領域を示すための第２の制御データとが付加データとして記録されており、電源復帰処理手段は、不揮発性メモリの先頭から画像情報および付加情報を読み出す第１手段、読み出すべき画像情報が存在するかしないかを判別する第２手段、読み出すべき画像情報が存在しない場合には、その位置からポスト記録処理を開始させる第３手段、読み出すべき画像情報が存在している場合には、前回読み出した画像に対応する記録番号と今回読み出した画像に対応する記録番号に基づいて、今回読み出した画像が前回読み出した画像より過去に記録されたものか否かを判別する第４手段、今回読み出した画像が前回読み出した画像より過去に記録されたものでない場合には、次の画像を読み出して、第２手段以降の処理を行わせる第５手段、今回読み出した画像が前回読み出した画像より過去に記録されたものである場合には、前回読み出した画像に対応する第１の制御データに基づいて、前回読み出した画像がプリ記録処理モード時に入力された画像であるか否かを判別する第６手段、前回読み出した画像がプリ記録処理モード時に入力された画像でない場合には、今回の読み出し位置からポスト記録処理を開始させる第７手段、および前回読み出した画像がプリ記録処理モード時に入力された画像である場合には、前回読み出した画像に対応する第２の制御データに基づいて、前回読み出した画像を含むプリ記録処理に使用された領域の次の領域から画像を読み出して、第２手段以降の処理を行わせる第８手段を備えていることを特徴とする。
【発明の効果】
【０００７】
この発明によれば、電源が遮断される直前にプリ記録された映像を残すことができるようになる。
【発明を実施するための最良の形態】
【０００８】
以下、図面を参照して、この発明の実施の形態について説明する。
【実施例】
【０００９】
〔１〕監視用の情報記録装置の構成についての説明
【００１０】
図１は、監視用の情報記録装置の構成を示している。この情報記録装置には、実際には映像信号の他、音声信号も入力されるが、ここでは説明の便宜上、映像信号のみが入力されているものとする。
【００１１】
商用電源１から供給される商用電源は電源回路２に送られる。電源回路２は、各回路への電源を生成して、各回路へ供給する。
【００１２】
外部検出器３は、所定領域に不審者等が侵入したことを検出するための検出器であり、不審者等を検出した場合には、アラーム信号を出力する。このアラーム信号は、記録指示装置４に送られる。記録指示装置４には、記録指示スイッチ５からの記録指示信号も入力される。
【００１３】
記録指示装置４は、電源回路２に電源が供給されている状態においては、記録指示装置４からの記録指示信号に基づいて、プリ記録開始指示をＣＰＵ１０に供給する。プリ記録が行われている状態において、アラーム信号が入力された場合には、記録指示装置４は、ポスト記録開始指示をＣＰＵ１０に供給する。電源供給開始時（電源復帰時）には、記録指示装置４は、電源復帰処理の開始指示をＣＰＵ１０に供給する。
【００１４】
ＣＰＵ１０は、情報記録処理の他、電源復帰処理を行う。情報記録処理は、電源が供給されている状態において、記録指示スイッチ５からの記録指示信号に基づくプリ記録開始指示に基づいて開始され、図示しない記録停止キーからの記録停止指令によって停止される。情報記録処理にはプリ記録処理とポスト記録処理とがある。常時はプリ記録処理が行われ、アラーム信号が発生してから一定時間の間、ポスト記録処理が行われる。電源復帰処理は、電源が復帰したとき（電源投入時および停電復帰時）に実行される。
【００１５】
入力画像信号は、映像処理回路１１によってデジタル信号に変換された後、ＲＡＭ等の揮発性メモリ１２に一時的に格納される。揮発性メモリ１２に一時的に格納された画像データは、所定のタイミングで画像圧縮回路１３に送られて圧縮された後、揮発性メモリ１２に格納される。揮発性メモリ１２には、所定フレーム分の圧縮画像データが循環的に格納される。揮発性メモリ１２に格納された圧縮画像データは、所定のタイミングでハードディスク等の不揮発性メモリ１４に格納される。不揮発性メモリ１４は、不揮発性メモリ制御装置１５によって制御される。
【００１６】
従来においては、ポスト記録処理時のみ不揮発性メモリ１４に圧縮画像データが格納されるが、この実施例では、プリ記録処理時においても、不揮発性メモリ１４に圧縮画像データが循環的に格納される。
【００１７】
〔２〕従来のプリ記録と本実施例のプリ記録との相違についての説明
〔２−１〕従来のプリ記録についての説明
【００１８】
揮発性メモリ内のプリ記録領域には、６フレーム分の圧縮映像データが循環的に格納されるものとする。図２（ａ）、（ｂ）、（ｃ）に示すように、プリ記録処理時には、圧縮画像データが循環的に揮発性メモリに格納される。
【００１９】
そして、図２（ｄ）に示すように、記録番号２１の圧縮画像データが揮発性メモリに格納された時点で、ＣＰＵがポスト記録指示を受信した場合には、図２（ｅ）に示すように、揮発性メモリに記録されている６フレーム分の圧縮画像データを、時系列順に並び替えた後に、図２（ｆ）に示すように不揮発性メモリに格納する。そして、ポスト記録処理を開始させる。
【００２０】
〔２−２〕本実施例のプリ記録についての説明
【００２１】
揮発性メモリ内のプリ記録領域には、６フレーム分の圧縮映像データが循環的に格納されるものとする。また、プリ記録処理時には、不揮発性メモリ１４に１２フレーム分の圧縮画像データが循環的に格納されるものとする。
【００２２】
図３において、各符号の意味は次の通りである。
ａ：ＲＡＭアドレス。圧縮画像データを格納するための揮発性メモリのアドレスを示す変数。この例では、６フレーム分の圧縮画像データを格納する領域が設けられているので、ａは第１領域０〜第６領域５に対応した値０〜５の値をとる。
【００２３】
Ａ：録画アドレス。揮発性メモリ内に格納される圧縮画像データに付加データとして与えられる変数であって、当該圧縮画像データを不揮発性メモリに格納する際の書き込み先のアドレスを示す変数。
【００２４】
Ｎ：記録番号。揮発性メモリ内に格納される圧縮画像データに付加データとして与えられる変数であって、本装置にて記録開始後、記録画像毎に割り当てた順番数値を示す変数。
【００２５】
Ｐ：ポスト記録ポインタ（第１の制御データと第２の制御データとを兼用しているデータ）。揮発性メモリ内に格納される圧縮画像データに付加データとして与えられる変数であって、ポスト記録処理時に取り込まれた画像には”０”が割り当てられ、プリ記録処理時に取り込まれた画像には”０”以外の値が割り当てられる。
【００２６】
プリ記録処理時には、揮発性メモリには、図３（ａ）、（ｂ）、（ｃ）に示すように、圧縮画像データが循環的に揮発性メモリに格納される。この際、揮発性メモリには、圧縮画像データとともに、付加データ（録画アドレスＡ、記録番号Ｎおよびポスト記録ポインタＰ）も格納される。
【００２７】
揮発性メモリに、図３（ａ）に示すように、６フレーム分の圧縮映像データが格納されると、その６フレーム分の圧縮映像データが、図３（ｄ）に示すように、不揮発性メモリに格納される。また、揮発性メモリに、図３（ｂ）に示すように、次の６フレーム分の圧縮映像データが格納されると、その６フレーム分の圧縮映像データが、図３（ｅ）に示すように、不揮発性メモリに格納される。
【００２８】
プリ記録開始時点から１２フレーム目までの各圧縮画像データに対して付与されるポスト記録ポインタＰの値は、次の記録画に対して与えられるべき録画アドレスＡの値に設定される。プリ記録開始時点から１３フレーム目以降の圧縮画像データに対して付与されるポスト記録ポインタＰの値は、１２フレーム目の圧縮映像に対して付与されたポスト記録ポインタＰの値に固定される（図３（ｃ）参照）。また、プリ記録開始時点から１３フレーム目の圧縮画像データに付与される録画アドレスＡは、不揮発性メモリ内の今回のプリ記録領域の先頭のアドレスに戻る。
【００２９】
図３（ｃ）に示すように、揮発性メモリに圧縮映像データが格納されていき、記録番号Ｎ＝２１が格納された時点で、ポスト記録開始指令が入力されたとする。ポスト記録開始指令が入力されると、揮発性メモリには記録されているが、不揮発性メモリには記録されていない圧縮映像データが、不揮発性メモリにその付加データである録画アドレスＡで示される領域に記録される。そして、図３（ｆ）に示すように、プリ記録の最後の圧縮画像データに対して付与されているポスト記録ポインタＰの値（この例では”１８”）に対応する録画アドレスから、ポスト記録が開始される。
【００３０】
〔３〕本実施例のプリ記録およびポスト記録の処理手順についての説明
【００３１】
図４は、情報記録処理の手順を示している。
【００３２】
以下の説明では、図１の揮発性メモリ１２をＲＡＭと呼び、不揮発性メモリ１４をＨＤと呼ぶことにする。ＲＡＭ１２には、入力画像を一時的に記憶する領域、６フレーム分の圧縮画像データを格納するための領域（アドレス０〜５）、各種変数を記憶する領域等が設けられている。プリ記録時においてＨＤ１４に記録できる圧縮画像の最大枚数は、設定可能であり、プリループ時間設定値Ｔとして予め設定されている。この例では、プリループ時間設定値Ｔとして”１２”が設定されているものとする。
【００３３】
記録指示スイッチ５からの記録指示信号が入力されると、圧縮画像を記憶するためのＲＡＭ１２内の領域を示す変数（ＲＡＭアドレス）ａを初期化（ａ＝０）する（ステップ１）。また、ループタイマとして用いられる変数ｔを初期化（ｔ＝０）する（ステップ２）。また、ポスト記録ポインタを表す変数Ｐを初期化（Ｐ＝０）する（ステップ３）。
【００３４】
また、前回の情報記録処理において設定された今回の録画アドレスＡ（今回、取り込まれる画像に対応する録画アドレスＡ）を取得するとともに、前回の情報記録処理において設定された今回の記録番号Ｎ（今回、取り込まれる画像に対応する記録番号Ｎ）を取得する（ステップ４）。
【００３５】
次に、画像を記録するタイミングを待つ（ステップ５）。画像を記録するタイミングになると、今回取り込まれる画像に対する記録処理モードがプリ記録処理モードであるかポスト記録処理モードであるかを判別する（ステップ６）。
【００３６】
まず、今回取り込まれる画像に対する記録処理モードがプリ記録処理モードである場合について説明する。今回取り込まれる画像に対する記録処理モードがプリ記録処理モードである場合には、前回取り込まれた画像に対する記録処理モードがプリ記録処理モードであるかポスト記録処理モードであるかを判別する（ステップ７）。
【００３７】
前回取り込まれた画像に対する記録処理モードがポスト記録処理モードであった場合（図３の例では、今回取り込まれる画像がＮ＝６である場合）には、ＲＡＭ１２のアドレス０〜ａの領域に保持されている圧縮画像データ（ポスト記録モード時にＲＡＭ１２に取り込まれた圧縮画像データ）を、それに付加されている録画アドレスＡに対応したＨＤ１４の領域にその付加データとともに格納する（ステップ８）。ただし、ａ＝０である場合には、ＲＡＭ１２内の圧縮画像データは、ＨＤ１４に既に記録されているので、ステップ８の処理を行わない。ステップ８の処理の後、ａを初期化（ａ＝０）する（ステップ９）。      
【００３８】
ＨＤ１４内において今回のプリ記録が１周目であることを記憶するフラグ（プリ記録ループフラグＦＬＡＧ）をリセット（ＦＬＡＧ＝０）するとともに、ループタイマｔを初期化（ｔ＝０）する（ステップ１０）。ＨＤ１４内の今回のプリ記録領域の先頭の録画アドレスＡｏとして、今回の録画アドレスＡの値を保持する（ステップ１１）。また、ポスト記録ポインタＰを”Ａ＋１”に更新する（ステップ１２）。なお、”Ａ＋１”は、次回に取り込まれる画像に対応する録画アドレスを意味している。
【００３９】
ＲＡＭ１２内のａで示されている領域に、付加データＡ，Ｎ，Ｐを記録する（ステップ１３）。また、ＲＡＭ１２内のａで示されている領域に、その他の付加データと今回取り込まれた画像データの圧縮画像データを記録する（ステップ１４）。
【００４０】
次回に取り込まれる画像に対する記録処理のために、録画アドレスＡを”Ａ＋１”に更新するとともに、記録番号Ｎを”Ｎ＋１”に更新する（ステップ１５）。また、ＲＡＭアドレスａを”ａ＋１”に更新する（ステップ１６）。
【００４１】
そして、ａがＲＡＭ１２内の圧縮画像データ格納領域の最終領域に対応する値（最大値：この例では”５”）以下であるか否かを判別する（ステップ１７）。ａが５以下である場合には、ＨＤ１４にＲＡＭ１２内の圧縮画像データを格納することなく、ステップ２０に移行する。ａが５を越えている場合には、ＲＡＭ１２のアドレス０〜ａの領域に保持されている圧縮画像データを、それに付加されている録画アドレスＡに対応したＨＤ１４の領域にその付加データとともに格納する（ステップ１８）。ただし、ａ＝０である場合には、ＲＡＭ１２内の圧縮画像データは、ＨＤ１４に既に記録されているので、ステップ１８の処理を行わない。そして、ａを初期化（ａ＝０）した後（ステップ１９）、ステップ２０に移行する。
【００４２】
ステップ２０では、記録終了か否か（記録停止指令が入力されたか否か）を判別する。記録終了であれば、記録処理を終了する。記録終了でなければ、ステップ５に戻る。
【００４３】
上記ステップ７において、前回取り込まれた画像に対する記録処理モードがプリ記録処理モードであった場合には、ループタイマｔが、プリループ時間設定値Ｔより１小さい値（Ｔ−１）以上であるか否かを判別する（ステップ２１）。ｔ＜（Ｔ−１）の場合には、ｔを”ｔ＋１”に更新した後（ステップ２２）、ループフラグＦＬＡＧがセットされているか否かを判別する（ステップ２３）。ループフラグＦＬＡＧがセットされていない場合（ＦＬＡＧ＝０）には、ＨＤ１４内において今回のプリ記録が１周目であると判別し、ポスト記録ポインタＰを”Ａ＋１”に更新した後（ステップ２４）、ステップ１３に移行する。ループフラグＦＬＡＧがセットされている場合（ＦＬＡＧ＝１）には、ＨＤ１４内において今回のプリ記録が２周目以降であると判別し、ポスト記録ポインタＰの値をそのまま維持させて（ステップ２５）、ステップ１３に移行する。
【００４４】
上記ステップ２１において、ｔ≧（Ｔ−１）である場合（図３の例では、今回取り込まれる画像がＮ＝１８の画像である場合）には、ＨＤ１４への圧縮画像データの記録位置を今回のプリ記録領域の先頭位置に戻すタイミングであると判別し、ＲＡＭ１２のアドレス０〜ａの領域に保持されている圧縮画像データを、それに付加されている録画アドレスＡに対応したＨＤ１４の領域にその付加データとともに格納する（ステップ２６）。ただし、ａ＝０である場合には、ＲＡＭ１２内の圧縮画像データは、ＨＤ１４に既に記録されているので、ステップ２６の処理を行わない。この後、ａを初期化（ａ＝０）する（ステップ２７）。
【００４５】
また、ループフラグＦＬＡＧをセット（ＦＬＡＧ＝１）するとともに、ループタイマｔを初期化（ｔ＝０）する（ステップ２８）。また、今回の録画アドレスＡをＨＤ内の今回のプリ記録領域の先頭の録画アドレスＡｏに戻す（ステップ２９）。つまり、Ａ＝Ａｏとする。また、ポスト記録ポインタＰをそのまま保持させた後（ステップ３０）、ステップ１３に移行する。
【００４６】
上記ステップ６で、今回取り込まれる画像に対する記録処理モードがポスト記録処理モードであると判別された場合について説明する。今回取り込まれる画像に対する記録処理モードがポスト記録処理モードである場合には、前回取り込まれた画像に対する記録処理モードがプリ記録処理モードであるかポスト記録処理モードであるかを判別する（ステップ３１）。
【００４７】
前回取り込まれた画像に対する記録処理モードがプリ記録処理モードであった場合には、ＲＡＭ１２のアドレス０〜ａの領域に保持されている圧縮画像データを、それに付加されている録画アドレスＡに対応したＨＤ１４の領域にその付加データとともに格納する（ステップ３２）。ただし、ａ＝０である場合には、ＲＡＭ１２内の圧縮画像データは、ＨＤ１４に既に記録されているので、ステップ３２の処理を行わない。この後、ａを初期化（ａ＝０）する（ステップ３３）。また、録画アドレスＡをポスト記録ポインタＰの値に設定することにより、録画アドレスＡを直前までのプリ記録に用いられていた領域の次の領域（図３の例では、図３（ｆ）におけるＡ＝１８）に設定させる（ステップ３４）。そして、ポスト記録ポインタＰの値をポスト記録であることを示す”０”に設定（Ｐ＝０）した後（ステップ３５）、ステップ１３に移行する。
【００４８】
上記ステップ３１において、前回取り込まれた画像に対する記録処理モードがポスト記録処理モードであったと判別された場合には、ポスト記録ポインタＰの値を０に設定（Ｐ＝０）した後（ステップ３５）、ステップ１３に移行する。
【００４９】
〔４〕本実施例の電源復帰処理の手順についての説明
【００５０】
まず、初期化処理が行われる（ステップ５１）。つまり、録画ポインタＡをＨＤ１４の記録領域の先頭値に設定するとともに、前値録画ポインタＡｏｌｄをＨＤ１４の記録領域の先頭値に設定する。また、前値記録番号Ｎｏｌｄを最小値”０”にする。また、前値ポスト記録ポインタＰｏｌｄを最小値”０”にする。
【００５１】
次に、録画ポインタＡで示される画像情報（記録番号Ｎ，ポスト記録ポインタＰ等の付加データを含む）をＨＤ１４から読み出す（ステップ５２）。そして、読み出した画像情報に画像データが含まれているか否かを判別する（ステップ５３）。
【００５２】
読み出した画像情報に画像データが含まれていない場合には、録画ポインタＡで示される位置からポスト記録を開始させる（ステップ５９）。このポスト記録を所定時間行うと、今回の電源復帰処理を終了する。
【００５３】
上記ステップ５３において、読み出した画像情報に画像データが含まれていると判別した場合には、今回読み出した記録番号Ｎが前回の記録番号（前値記録番号）Ｎｏｌｄより大きいか否かを判別する（ステップ５４）。                                              
【００５４】
今回読み出した記録番号Ｎが前回の記録番号Ｎｏｌｄより大きい場合（Ｎ＞Ｎｏｌｄ）には、前値録画ポインタＡｏｌｄ、前値記録番号Ｎｏｌｄおよび前値ポスト記録ポインタＰｏｌｄを更新させる（ステップ５５）。つまり、前値録画ポインタＡｏｌｄを今回の  録画ポインタＡに、前値記録番号Ｎｏｌｄを今回読み出した記録番号Ｎに、前値ポスト記録ポインタＰｏｌｄを今回読み出したポスト記録ポインタＰに、それぞれ設定する。そして、録画ポインタＡを次の画像に対応する位置に進めた後（ステップ５６）、ステップ５２に戻る。
【００５５】
上記ステップ５４において、今回読み出した記録番号Ｎが前回の記録番号Ｎｏｌｄ以下であると判別した場合（Ｎ≦Ｎｏｌｄ）には、今回読み出した画像が、前回読み出した画像より過去に記録された画像であると判別し、ステップ５７に進む。ステップ５７では、前回読み出したポスト記録ポインタ（前値ポスト記録ポインタＰｏｌｄ）の値に基づいて、前回読み出した画像がプリ記録として記録された画像であるか否かを判別する。具体的には、前値ポスト記録ポインタＰｏｌｄが”０”以外の値である場合には、前回読み出した画像がプリ記録として記録された画像であると判別する。
【００５６】
前回読み出した画像がプリ記録として記録された画像であると判別した場合には、前回読み出した画像はプリ記録のラスト画像であると判別し、ステップ５８に進む。ステップ５８では、前値ポスト記録ポインタＰｏｌｄは、当該プリ記録部分の後のポスト記録部分の先頭位置を指しているので、録画ポインタＡを前値ポスト記録ポインタＰｏｌｄに設定する。そして、ステップ５２に戻る。
【００５７】
上記ステップ５７において、前回読み出した画像がプリ記録として記録された画像ではないと判別した場合には、今回の録画ポインタＡで示される位置は、プリ記録のループ部以外の過去の記録領域であり、上書き記録をしてもよい領域であると判別し、録画ポインタＡで示される位置からポスト記録を開始させる（ステップ５９）。このポスト記録を所定時間行うと、今回の電源復帰処理を終了する。
【００５８】
上記電源復帰処理では、ポスト記録処理が実行されている途中で電源が遮断され、その後に電源が復帰した場合には、電源遮断時のポスト記録処理から継続してポスト記録処理が開始される。また、プリ記録処理が実行されている途中で電源が遮断され、その後に電源が復帰した場合には、電源遮断時のプリ記録処理において使用されていた領域の後からポスト記録処理が開始される。
【図面の簡単な説明】
【００５９】
【図１】監視用の情報記録装置の構成を示すブロック図である。
【図２】従来のプリ記録処理を説明するための模式図である。
【図３】本実施例のプリ記録処理を説明するための模式図である。
【図４】情報記録処理の手順を示すフローチャートである。
【図５】電源復帰処理の手順を示すフローチャートである。
【符号の説明】
【００６０】
１  商用電源
２  電源回路
３  外部検出器
４  記録指示装置
５  記録指示スイッチ
１０  ＣＰＵ
１１  映像処理回路
１２  揮発性メモリ（ＲＡＭ）
１３  画像圧縮回路
１４  不揮発性メモリ
１５  不揮発性メモリ制御装置
【図１】
2005210379.tif 000003
【図２】
2005210379.tif 000004
【図３】
2005210379.tif 000005
【図４】
2005210379.tif 000006
【図５】
2005210379.tif 000007
【手続補正書】
【提出日】平成17年3月9日(2005.3.9)
【手続補正１】
【補正対象書類名】明細書
【補正対象項目名】０００２
【補正方法】変更
【補正の内容】
【０００２】
監視用情報記録装置では、常時は監視カメラによって撮像される映像を揮発性メモリに循環的に記録（プリ記録）し、たとえば所定領域内の不審者を検出するための検出器によって不審者が検出されると、揮発性メモリにプリ記録されている映像を不揮発性メモリに記録するとともに、監視カメラによって撮像される映像を、一定期間の間、不揮発性メモリに記録（ポスト記録）している。